(57)【要約】【課題】従来の計測スイッチでは、近接スイッチが短絡されると、入賞口への入賞がなくとも不当にパチンコ球の払い出しが行われてしまっていた。【解決手段】計測スイッチ４３は、トランジスタＴｒからなる近接スイッチ４５、及び近接スイッチ４５によるパチンコ球の検知を検出する球検出回路４６から構成されている。また、トランジスタＴｒの通電端子４５ａ，４５ｂ間には、これら通電端子４５ａ，４５ｂ間の短絡を検出する短絡検出回路４４が接続されている。短絡されていないときは、反転入力端子４４ａの電圧値は非反転入力端子４４ｂの電圧値を上まわっている。通電端子４５ａ，４５ｂ間が短絡すると、反転入力端子４４ａの電圧値はおよそ８［Ｖ］、非反転入力端子４４ｂではおよそ９［Ｖ］になって、非反転入力端子４４ｂの電圧値の方が大きくなって不正行為等が検出される。【選択図】  図４
2004187895.tif 000002
【特許請求の範囲】
【請求項１】
遊技球を検知すると通電が行われるトランジスタからなるスイッチと、前記トランジスタの通電による電圧変化を検出して前記スイッチによる前記遊技球の検知を検出する球検出回路とを備えた弾球遊技機において、前記トランジスタの通電端子間の短絡を検出する短絡検出回路が設けられていることを特徴とする弾球遊技機。
【請求項２】
前記短絡検出回路は、前記トランジスタの各通電端子の電圧を比較する比較器から構成されていることを特徴とする請求項１に記載の弾球遊技機。
【発明の詳細な説明】
【０００１】
【発明の属する技術分野】
本発明は、近接スイッチ等による遊技球の検知を検出する球検出回路を備えた弾球遊技機に関するものである。
【０００２】
【従来の技術】
図１は、従来のパチンコ機における、パチンコ球の入賞口への入賞を計測する計測スイッチ１の回路構成を示す図である。計測スイッチ１は、近接スイッチ２及びコンパレータ（比較器）３から構成されている。近接スイッチ２は、パチンコ球の入賞を検知してトランジスタ２ａがオンし、コレクタ端子及びエミッタ端子間を通電させる。この通電により、ＤＣ１２［Ｖ］の電源がコンパレータ３の反転入力端子３ａに与えられる。
【０００３】
コンパレータ３の非反転入力端子３ｂには基準電圧がかけられており、反転入力端子３ａに与えられた電圧は非反転入力端子３ｂの基準電圧を上まわるため、コンパレータ３の出力電圧は高レベルとなる。パチンコ機の払出制御回路は、このコンパレータ３から出力される高レベル電圧によってパチンコ球が入賞口に入賞したことを知り、所定数の賞球を払い出させる。
【０００４】
【発明が解決しようとする課題】
しかしながら、上記従来の計測スイッチ１においては、不正行為等によってトランジスタ２ａのコレクタ・エミッタ間が短絡されてしまった場合にも、基準電圧を上回る電圧が反転入力端子３ａに生じてしまう。このため、払出制御回路は、入賞口をパチンコ球が通過したと判断してしまい、入賞口への入賞がないにもかかわらず、不当にパチンコ球の払い出しを行ってしまうことがあった。
【０００５】
【課題を解決するための手段】
本発明はこのような課題を解決するためになされたもので、遊技球を検知すると通電が行われるトランジスタからなるスイッチと、トランジスタの通電による電圧変化を検出してスイッチによる遊技球の検知を検出する球検出回路とを備えた弾球遊技機において、トランジスタの通電端子間の短絡を検出する、例えば、トランジスタの各通電端子の電圧を比較する比較器から構成される短絡検出回路が設けられていることを特徴とする。
【０００６】
この構成によれば、スイッチが不正行為等によって短絡されると、例えば、反転入力端子及び非反転入力端子における入力電圧が等しくなることが比較器によって検出され、短絡検出回路によってこの短絡が検知される。
【０００７】
【発明の実施の形態】
次に、本発明による弾球遊技機をパチンコ機に適用した一実施形態について説明する。
【０００８】
図２は、本実施形態によるパチンコ機１０の正面図である。パチンコ機１０の正面には遊技領域である遊技盤１１が設けられており、遊技盤１１の下方には上皿１２、さらにその下方には下皿１３が設けられている。下皿１３の右側の前面扉には、レール１４を介して遊技盤１１へパチンコ球を発射する際に操作される発射ハンドル１５が設けられている。
【０００９】
遊技盤１１の盤面中央には、特別図柄表示装置であるＬＣＤ（液晶表示装置）１６が設けられている。このＬＣＤ１６には、左図柄、中図柄および右図柄からなる３列の複数の特別図柄が表示され、また、これら特別図柄の背後に演出画が表示される。ＬＣＤ１６の上方には普通図柄表示装置１７が設けられており、この普通図柄表示装置を挟んで４つのＬＥＤ（発光ダイオード）からなる普通始動入賞個数表示部１８が設けられている。また、ＬＣＤ１６の下側には４つのＬＥＤからなる特別始動入賞個数表示部１９が設けられており、また、ＬＣＤ１６の左右には通過孔２０が設けられている。また、ＬＣＤ１６の下方には始動入賞口２１が設けられており、その下方には大入賞口２２、その左右には一般入賞口２３が設けられている。
【００１０】
上記の始動入賞口２１、大入賞口２２及び一般入賞口２３には、後述する近接スイッチ４５が設けられており、パチンコ球の各入賞口２１〜２３への入賞がこの近接スイッチ４５によって検知される。
【００１１】
普通始動入賞個数表示部１８には通過孔２０へのパチンコ球の通過が保留玉として最大４個まで記憶され、特別始動入賞個数表示部１９には始動入賞口２１へのパチンコ球の入賞が保留玉として最大４個まで記憶される。
【００１２】
図３は、パチンコ機１０の払出制御及び発射制御を行う払出発射制御回路と、これに接続される装置の構成を示すブロック図である。
【００１３】
払出発射制御回路は、接続されている各装置を制御するＣＰＵ（中央演算処理装置）３０からなる。ＣＰＵ３０には、カードユニットを接続するためのカードユニットＩ／Ｆ（インタフェース）３１、及び主基板と接続するための主基板Ｉ／Ｆ３２が接続されている。カードユニットは、払出発射制御回路にパチンコ球の球貸し指示信号を出力するものである。また、ＣＰＵ３０には発射装置及び払出装置が接続されており、これらの発射装置及び払出装置はＣＰＵ３０によって駆動制御される。
【００１４】
上記の発射装置は、パチンコ球を発射位置に誘導する球送りソレノイド３３、パチンコ球を遊技盤１１に発射する発射ソレノイド３４、及び発射ハンドル１５から構成されている。発射ハンドル１５は、操作されると発射動作を停止させる発射停止スイッチ３５、及び遊技者の手が発射ハンドル１５に触れたことを検知するタッチスイッチ３６を備えている。また、上記の払出装置は、賞球または貸出球の払出球数を検知する払出フォトセンサ３７、及び払出装置に設けられたスプロケットを制御して所定数の賞球または貸出球を払い出す払出ソレノイド３８から構成されている。
【００１５】
球切れスイッチ３９、下皿満タンスイッチ４０及び通路球切れ検知スイッチ４１はそれぞれＣＰＵ３０に接続されている。球切れスイッチ３９は球タンクにおけるパチンコ球の不足を検知し、下皿満タンスイッチ４０は下皿１３にパチンコ球が充塞したことを検知する。また、通路球切れ検知スイッチ４１は、球タンクから払出装置のスプロケットまでの間の球通路において、パチンコ球の球切れを検知する。ＣＰＵ３０は、この通路におけるパチンコ球どうしの間隔が大きくなって球にスピードがつくことで発生するスプロケットでの球詰まりや過払い出しを無くすために、通路球切れ検知スイッチ４１からの検知信号に基づいて払出装置を駆動制御し、パチンコ球の球間隔を無くすように制御している。これら各スイッチ３９〜４１からの検知信号に基づいて、ＣＰＵ３０は発射装置及び払出装置を駆動制御する。また、各種エラーＬＥＤ４２は、払出制御時及び発射制御時にエラーが生じたときにＣＰＵ３０からの制御信号に基づいて点灯し、遊技者にエラーを報知する。
【００１６】
また、ＣＰＵ３０には計測スイッチ４３及び短絡検出回路４４が接続されている。計測スイッチ４３は、後述する近接スイッチ４５によって賞球検知及び球貸し検知を行う。また、短絡検出回路４４は、この計測スイッチ４３を構成する回路を短絡させる不正行為を検知する。
【００１７】
図４は、上記計測スイッチ４３及び短絡検出回路４４の回路構成を示す概略図である。
【００１８】
計測スイッチ４３は、近接スイッチ４５及び球検出回路４６から構成されている。近接スイッチ４５は、パチンコ球を検知すると通電が行われるトランジスタＴｒからなる。球検出回路４６は、トランジスタＴｒがオンして通電したときの電圧変化を検出して、近接スイッチ４５によるパチンコ球の検知を検出するコンパレータからなる。球検出回路４６の非反転入力端子４６ｂには１．７〜２．６［Ｖ］の基準電圧がかけられており、球検出回路４６における出力電圧Ｖｔは、パチンコ球が近接スイッチ４５によって検出されると低レベルとなり、検出されていないときは高レベルとなる。また、近接スイッチ４５の通電端子４５ａ，４５ｂ間には、短絡検出回路４４が接続されている。この短絡検出回路４４は、各通電端子４５ａ，４５ｂの電圧を比較して、これら通電端子４５ａ，４５ｂ間の短絡を検出するコンパレータからなる。短絡検出回路４４の反転入力端子４４ａには電源が接続されており、短絡検出回路４４における出力電圧Ｖｓは、通電端子４５ａ，４５ｂ間の短絡が検出されると高レベルとなり、短絡されていないときは低レベルとなる。
【００１９】
パチンコ球が近接スイッチ４５に検知されていないとき、短絡検出回路４４の反転入力端子４４ａには１２［Ｖ］の電圧がかかっており、非反転入力端子４４ｂの電圧値は０［Ｖ］となっている。パチンコ球が近接スイッチ４５に検知されると、トランジスタＴｒのコレクタ端子・エミッタ端子間に電流が流れ電圧降下が生じる。このときの電圧降下は０．２〜０．３［Ｖ］程度と小さく、反転入力端子４４ａと非反転入力端子４４ｂとの電圧値の差も小さくなり、短絡検出回路４４による短絡の検出に対するノイズの影響が無視出来なくなってくる。
【００２０】
図５は、近接スイッチ４５及び短絡検出回路４４の詳細を示す回路図であり、抵抗５０ａ，５０ｂ，５０ｃ，５０ｄ，５０ｅ及びダイオード５１を用いた回路構成となっている。同図において図４と同一部分には同一符号を付してその説明は省略する。同図に示す回路は、短絡検出回路４４における上記のノイズの影響が生じないように、反転入力端子４４ａと非反転入力端子４４ｂとの電圧値の差が大きくなるように構成されている。なお、本実施形態における抵抗５０ａ，５０ｂ，５０ｃ，５０ｄ，５０ｅの抵抗値は、それぞれ、３３０［Ω］，６８０［Ω］，１１［ｋΩ］，８．２［ｋΩ］，１０［ｋΩ］となっており、また、同図において球検出回路４６は図示せずに省略してある。
【００２１】
上記の構成において、パチンコ球が近接スイッチ４５に検知されていない通常時には、回路点５２，５３の間は通電しないため、反転入力端子４４ａの電圧値は１２［Ｖ］になっており、非反転入力端子４４ｂには７．４［Ｖ］程度の電圧がかかっている。このため、短絡検出回路４４からの出力電圧Ｖｓは低レベルとなっている。このとき、球検出回路４６の反転入力端子４６ａにおける電圧は０［Ｖ］であり、非反転入力端子４６ｂにおける基準電圧値より低いので、球検出回路４６からの出力電圧Ｖｔは高レベルとなっている。
【００２２】
各入賞口２１〜２３への入賞によってパチンコ球が近接スイッチ４５に検知されると、通電端子４５ａ，４５ｂ間、つまり、回路点５２，５３の間が通電され、反転入力端子４４ａの電圧値は９．７［Ｖ］程度となるが、非反転入力端子４４ｂの電圧値はこれより小さいため、出力電圧Ｖｓは低レベルのままである。このとき、球検出回路４６の反転入力端子４６ａにおける電圧は非反転入力端子４６ｂの基準電圧を上まわり、出力電圧Ｖｔは低レベルとなる。
【００２３】
一方、図６に示すように、不正行為などによって近接スイッチ４５の通電端子４５ａ，４５ｂ間が針金５４等によって短絡されてしまった場合にも、反転入力端子４６ａにおける電圧が基準電圧を上まわって出力電圧Ｖｔが低レベルとなってしまい、球検出回路４６はパチンコ球を検知した状態になる。なお、同図において図５と同一部分には同一符号を付してその説明は省略する。
【００２４】
このとき、電源からの電流は、トランジスタＴｒの通電端子４５ａ，４５ｂ間には流れずに針金５４を流れてしまい、各回路点５２，５３の電圧値はおよそ８［Ｖ］になる。このとき、回路点５５の電圧値はダイオード５１での電圧降下によって７［Ｖ］程度になり、回路点５６では９［Ｖ］程度になる。つまり、短絡検出回路４４の反転入力端子４４ａ，非反転入力端子４４ｂの各電圧値は、それぞれおよそ８［Ｖ］，９［Ｖ］になり、短絡検出回路４４からの出力電圧Ｖｓは高レベルとなる。この結果、球検出回路４６でパチンコ球が検知された状態であっても、短絡検出回路４４からの出力電圧Ｖｓが高レベルに変化することで、ＣＰＵ３０が短絡を検出することが出来る。このため、ＣＰＵ３０から払出ソレノイド３８へ払出指令信号は出力されず、パチンコ球の不当な払い出しは行われない。
【００２５】
このような本実施形態によるパチンコ機１０によれば、上述したように、近接スイッチ４５が不正行為等によって短絡されると、反転入力端子４４ａ及び非反転入力端子４４ｂにおける入力電圧が短絡検出回路４４によって検出され、この短絡が検知される。このため、球検出回路４６においてパチンコ球が検知されても、短絡検出回路４４が不正行為等による短絡を検出するので、ＣＰＵ３０によってパチンコ球が不当に払い出されることを防ぐことが出来る。
【００２６】
なお、本実施形態における計測スイッチ４３及び短絡検出回路４４とは異なる回路構成であっても、通常時と短絡時とで反転入力端子４４ａ及び非反転入力端子４４における電圧値の大きさが逆転する回路構成であれば、上述した実施形態の場合と同様の作用効果が奏される。
【００２７】
【発明の効果】
以上説明したように本発明による弾球遊技機によれば、スイッチが不正行為等によって短絡されると、短絡検出回路によってこの短絡が検知される。このため、球検出回路において遊技球が検知されても、短絡検出回路が不正行為等による短絡を検出するので、払出制御回路によって遊技球が不当に払い出されることを防ぐことが出来る。
【図面の簡単な説明】
【図１】従来のパチンコ機における計測スイッチの回路構成を示す概略図である。
【図２】本発明の一実施形態によるパチンコ機の正面図である。
【図３】本発明の一実施形態によるパチンコ機の払出制御及び発射制御を行う払出発射制御回路の構成を示すブロック図である。
【図４】本発明の一実施形態による計測スイッチ及び短絡検出回路の回路構成を示す概略図である。
【図５】本発明の一実施形態による通常時の計測スイッチ及び短絡検出回路の詳細を示す回路図である。
【図６】本発明の一実施形態による短絡時の計測スイッチ及び短絡検出回路の詳細を示す回路図である。
【符号の説明】
１０…パチンコ機
１５…発射ハンドル
３０…ＣＰＵ
４３…計測スイッチ
４４…短絡検出回路
４４ａ，４６ａ…反転入力端子
４４ｂ，４６ｂ…非反転入力端子
４５…近接スイッチ
４６…球検出回路
５０ａ〜５０ｅ…抵抗
５１…ダイオード
５４…針金
Ｔｒ…トランジスタ
【図１】
2004187895.tif 000003
【図２】
2004187895.tif 000004
【図３】
2004187895.tif 000005
【図４】
2004187895.tif 000006
【図５】
2004187895.tif 000007
【図６】
2004187895.tif 000008